(57)【要約】【目的】物品の出し入れが容易で、外観品質に優れたポケットを有するシートバックを提供することである。【構成】シートバックＳＢの背裏上部にテーブル格納用の格納部Ａを設け、この格納部Ａの下方に格納部Ａの凹窪に連続する凹部Ｃを設け、この凹部Ｃの下方にポケット１のポケット口を配設したことを特徴とする。【選択図】        図１
2004329636.tif 000002
【特許請求の範囲】
【請求項１】
シートバックの背裏上部中央に設けてテーブルを格納する凹窪状の格納部の下方に、ポケットを有するポケット付シートバックにおいて、
前記格納部はシートバックの背面上部中央に、凹窪状に形成すると共に該格納部と前記ポケットの上部との間に前記格納部に連続する凹部を設け、
前記格納部を形成するトリムカバーは下辺を除く周囲をシートバックの内方に吊り込み、前記格納部の下辺下方に、前記ポケットのポケット口を形成してなるポケット付シートバック構造。
【請求項２】
前記ポケットはそのポケット口を前記格納部の横幅に対して広く形成してなる請求項１記載のポケット付シートバック構造。
【請求項３】
前記ポケットは前記トリムカバーと同一素材で形成してなる請求項１記載のポケット付シートバック構造。
【発明の詳細な説明】
【０００１】
【発明の属する技術分野】
本発明は、背裏側にテーブルとポケットを有する自動車用シートのシートバック構造に関するものである。
【０００２】
【従来の技術】
自動車用シートには、そのシートバックの背裏側における上部中央に、テーブルを格納する凹窪状の格納部を設け、この格納部の下方にポケットを設けたものがある。
【０００３】
以上の格納部はテーブルの外形に対してやや大きい長方形状に、シートバックの背裏を構成するトリムカバーの一部を吊り込んで形成している。
【０００４】
一方、シートバックの背裏に形成する一般的なポケットは前記トリムカバーの上に、ポケット形成用のポケット素材を重ねて、上辺を除く周囲を縫着して、ポケット素材の上辺側にポケット口を設けている（特許文献１参照）。
【０００５】
【特許文献１】特開２０００ー１０８７９５号公報
【０００６】
【発明が解決しようとする課題】
以上のポケットは前述の如く、シートバックの背裏上部を構成するトリムカバーの上に、ポケット形成用のポケット素材を重ねて、その左右の端末を前記トリムカバーの端末と共にシートバックの側面を形成するトリムカバーのまち部に縫着している。
【０００７】
そのため、前記シートバックの背裏を構成するトリムカバーとポケット素材は同一の幅でまち部に両端末が縫着されているため、トリムカバーとポケット素材間に有するポケット口はトリムカバーとポケット素材との張力によって広く開口し難いため、ポケットへの物品の出し入れが行い難い欠陥があった。
【０００８】
斯る欠陥はポケット素材を綱、又は伸縮性を有する部材で、前記トリムカバーと別部材を使用することにより解消できるが、シートバックの背裏を構成するトリムカバーと別部材をポケット素材とすると、シートバックの背裏側の外観品質が損なわれる。
【０００９】
そこで、本発明は背裏上部中央にテーブル格納用格納部を有するポケット付シートバックにおいて、その外観品質を向上させると共に物品の出し入れし易いポケットを提供することを目的とする。
【００１０】
【課題を解決するための手段】
以上の目的を達成するための本発明に係るポケット付シートバックは、シートバックの背裏上部中央に設けてテーブルを格納する凹窪状の格納部の下方に、ポケットを有するポケット付シートバックにおいて、前記格納部はシートバックの背面上部中央に、凹窪状に形成すると共に該格納部と前記ポケットの上部との間に前記格納部に連続する凹部を設け、前記格納部を形成するトリムカバーは下辺を除く周囲をシートバックの内方に吊り込み、前記格納部の下辺下方に、前記ポケットのポケット口を形成してなる構成である。
【００１１】
この構成により、ポケット口は格納部に連続する凹部に設けてあるため、ポケットに対する物品の出し入れが容易になる。
【００１２】
また、前記ポケットはそのポケット口を前記格納部の横幅に対して広く形成することにより、凹部以外の部分のポケット用素材の横方向の張力により、ポケット口に皺、タルミが生じない。
【００１３】
更に、前記ポケットは前記トリムカバーと同一素材で形成してなることにより、シートバックの外観品質が向上する。
【００１４】
【発明の実施の形態】
以下、本発明の実施の一形態を図面に基づいて説明する。
図１は本発明に係る構造を有する自動車用シートを示し、図中ＳＣはシートクッション、ＳＢはシートバックを各々示す。
【００１５】
以上のシートバックＳＢの背裏Ｂ上部中央には凹窪状に形成した格納部Ａが設けてあり、この格納部Ａに不使用状態のテーブルＴが格納されるように構成されている。
【００１６】
格納部ＡはテーブルＴよりやや大きな長方形に形成され、その下部には凹部Ｃが連続して設けてあり、この凹部Ｃの下端はポケット１の上部に位置するように形成されている。
【００１７】
従って、図２に示すように、格納部Ａを構成する左右の側壁２０、２０が下方に延長されて、その延長されている側壁が前記凹部Ｃの側壁２０Ａ、２０Ａとなる。
【００１８】
そして、シートバックＳＢの背裏Ｂを構成するトリムカバー３２と、前記格納部Ａのトリムカバー３０及び凹部Ｃのトリムカバー３１は同一素材で形成されている。
【００１９】
また、前記ポケット１を形成する裏地１２は凹部Ｃのトリムカバー３１の下部を下方に延設して形成し、また、ポケット１を形成する表地１１は前記トリムカバー３２、３１、３０と同一の素材で形成されている。
【００２０】
以上の裏地１２と表地１１は共に左右の両端末１１Ａ、１１Ａが、前記トリムカバー３２の両端末３２Ａ、３２Ａと同様に、シートバックＳＢの側面を構成するトリムカバーのまち部３４、３４に、また、裏地１２の下端縁は表地１１に縫糸１１Ｂによって、各々一体に縫着されている。
【００２１】
従って、ポケット１のポケット口イはシートバックＳＢの横幅と同一幅になり、その中央に前記凹部Ｃが位置する。図中１０はポケット口イを形成する表地１１の上端縁を示す。
【００２２】
以上の格納部Ａ、凹部Ｃ、ポケット１は図３、図４に示すように形成されている。
【００２３】
即ち、格納部ＡはシートバックＳＢの背面に凹窪を形成し、格納部Ａ内のトリムカバー３０の上端縁及び左右の側端縁の各々の内側に吊布２２を縫着し、この各吊布２２をシートバックＳＢ内のトリムワイヤ２３を結着することにより、トリムカバー３０を吊込んで、格納部Ａを形成している。
【００２４】
従って、格納部Ａ内に位置するトリムカバー３０の下端縁は、吊り込まれない。
以上の吊布２２で吊り込んだ部分は、格納部Ａにおける前記左右の側壁２０、２０と、格納部Ａの上側壁２１に対応する部分である。
【００２５】
凹部Ｃは格納部Ａを形成する凹窪の下方に連続して形成した凹窪で、トリムカバー３１によって形成されている。そして、前述の如く、トリムカバー３０の左右の側端縁が吊り込まれて格納部Ａの左右の側壁２０、２０が形成されているため、凹部Ｃの左右には前記側壁２０、２０の吊り込みによって生じる段差状の側壁２０Ａ、２０Ａが形成される。
【００２６】
この側壁２０Ａ、２０Ａは下方に徐々に前記吊り込み力が小になるし、また、トリムカバー３１のまち３４に対する縫着力による横方向の張力により、ポケット口イよりやや下の位置でなくなり、シートバックＳＢの背裏を構成するトリムカバー３２と同一平面状となる。
【００２７】
従って、この凹部Ｃを構成するトリムカバー３１でポケット口イ下方のトリムカバーがポケット１の前記裏地１２の一部となる。そして、この裏地１２の内方には図３に示すように空間部２４が形成されている。
【００２８】
斯して、ポケット１はそのポケット口イを部分の裏地１２が、前記吊り込みによる張力と、裏地１２の左右両端末１１Ａ、１１Ａのまち３４に対する縫着による張力とによって常に引張られた状態であるが、前記空間部２４が内方に存在しているため、ポケット口イから物品をポケット１内に入れると、裏地１２が前記二つの張力に抗して内方に凹む。
【００２９】
そして、前記二つの張力によってポケット口イを閉じるため、ポケット１内に収納した物品はポケット口イから外部に脱出することがない。
【００３０】
なお、図中２５はシートバックＳＢのフレーム、２６は同発泡体製パッド、３３はシートバックＳＢのトリムカバーの身頃、Ａ１はテーブルＴの取付部材を各々示す。
【００３１】
【発明の効果】
本発明によれば、格納部に連続する凹部のトリムカバーにおけるポケット内の上部に延設した部分が、格納部の吊り込みによる張力を受けて凹むし、また、ポケット口の上方に凹部が形成されているため、ポケットを伸縮性のない素材で形成してもポケット口からの物品の出し入れが行い易くなる。
【００３２】
また、ポケットはポケットを形成する表地及び裏地の左右両端末の縫着によって表地及び裏地は横方向に張力が付与されるため、その張力によってポケット口は閉口状態を保持する。従って、シートバックの背裏側の外観品質が良好となる。
【図面の簡単な説明】
【図１】本発明に係る構造を備えた自動車用シートの斜視図である。
【図２】本発明の要部の正面図である。
【図３】図２のＩＩＩーＩＩＩ線断面図である。
【図４】図２のＩＶーＩＶ線断面図である。
【符号の説明】
ＳＢ      シートバック
Ａ      格納部
Ｂ      シートバックの背裏
Ｃ      凹部
１      ポケット
イ      ポケット口
【図１】
2004329636.tif 000003
【図２】
2004329636.tif 000004
【図３】
2004329636.tif 000005
【図４】
2004329636.tif 000006